(57)【特許請求の範囲】
【請求項１】
左右方向に開閉される引戸に固定された支持部材と、上記引戸が開閉される左右方向に配置された引戸用ガイドレールに沿って左右方向に開閉動自在に走行する車輪付き走行体とを具備すると共に、当該車輪付き走行体と上記支持部材との間に立装連結された上下方向に沿う支持軸を具備し、かつ、上記支持部材には、上記引戸用ガイドレールの配設位置に対して、上記左右方向と交差する前後方向への配装位置を変更自在に調節可能とした引戸前後位置調整機構が内設されている引戸用ランナー装置において、
上記引戸前後位置調整機構が回動操作螺子と直線スライダと回動案内子とを備えたものであること、および、
上記回動操作螺子が、上記左右方向に沿うように配置されていると共に上記支持部材により正逆回転自在に保持されて上記左右方向への移動を阻止されていること、および、
上記回動操作螺子が上記直線スライダに螺合されており、かつ、回動操作螺子の正逆回動操作による正逆螺回動によって直線スライダが上記左右方向へスライドするものであること、および、
上記回動案内子の自由端部には、その自由端部を上下方向に貫通する位置調節口が穿設されていてその位置調節口に上記支持軸が貫挿されており、さらに回動案内子には、当該回動案内子が上記前後方向に回動するときの回動軸心になる回動基軸があり、この回動基軸が上記支持軸と平行に立設されていること、および、
上記直線スライダと上記回動案内子とが、この直線スライダと回動案内子とにわたって設けられた伝動機構を介して連動自在に組み立てられていること、および、
上記回動案内子が、上記伝動機構を介して上記直線スライダと連動するものであり、かつ、上記支持軸に併装立設の上記回動基軸を軸心にして上記前後方向に回動するものであること
を特徴とする引戸用ランナー装置。
【請求項２】
回動案内子の自由端部に穿設された位置調節口には、支持軸の左右方向と前後方向に沿う長辺側と短辺側とがそれぞれ形成されていると共に、この位置調節口に貫挿された支持軸がフラット面とアーク面とを具有しており、かつ、支持軸のアーク面が位置調節口の短辺側または長辺側に当接していて、支持軸のフラット面と位置調節口の短辺側および長辺側との間に可変離接間隙が介在している請求項１記載の引戸用ランナー装置。
【請求項３】
伝動機構が、回動案内子の回動基軸側である基部から突出された起動用首部と、その先端に膨設した弧状突起と、当該弧状突起が回動自在に係嵌されるよう直線スライダに欠設された枢支用欠設凹所とにより構成されている請求項１記載の引戸用ランナー装置。
【発明の詳細な説明】
【０００１】
【発明の属する技術分野】
本発明は収納家具とか室の出入口などを開閉自在とするために用いられている引戸の走行装置に関し、特に当該引戸の前後配装位置を手動操作により任意寸法となるよう調整することのできる引戸用ランナー装置に係るものである。
【０００２】
【従来の技術】
【特許文献１】
特許第３３５９２９６号公報
上記特許文献１には、図７〜図９に引用する引戸用ランナー装置１が開示されている。図７で理解されるように、この種の引戸用ランナー装置１は、引戸２のコーナ箇所などに固設された支持部材３と、引戸２の上位に配設されている引戸用ガイドレールＧＬに沿って開閉自在なるよう走行することになる車輪付き走行体４と、当該車輪付き走行体４と上記の支持部材３との間にあって立装連結されて、引戸２を懸垂することになる支持軸５とを具備したものである。かかる引戸用ランナー装置１には同図の支持部材３における上位側に引戸前後位置調整機構６が、その下位側には引戸上下位置調整機構７が夫々支持部材３に支設されている支持軸５に対して装設されている。
【０００３】
下位側の引戸上下位置調整機構７については、引戸２を引戸用ガイドレールＧＬに対して手動操作で上下方向へ変位させて当該引戸２の高さを所望配置に設定するものである。この引戸上下位置調整機構７は図７の仮想線で示されているが、これは本発明の内容と直接関係のない機構である。従って以下においては、上位側に配設されている引戸前後位置調整機構６についてのみ当該従来例を説示する。
【０００４】
従来例において、螺杆である操作部６ａをドライバ等により右または左へ回動すると、これに螺合されたスライダ６ｂをホルダ（図示せず）内で横方向へ夫々矢印Ｄ１、Ｄ２方向の如くスライドさせることができる。この結果、図８で理解される通り、スライダ６ｂに穿設された案内溝６ｃが支持軸５に対して摺動することになるから、不動状態の支持軸５に対してスライダ６ｂが夫々前後方向へ相対的な位置変動を生ずる。これで引戸用ガイドレールＧＬに対する引戸２の前後位置を可変自在に調整できることになる。この際、支持軸５の円弧面５ｂ、５ｂに案内溝６ｃ、６ｃが当接して摺動することから、当該変動が円滑に実施できるとしている。図９は上記の説明をより理解しやすくした図、すなわち、支持部材３の天面３ａを支持軸５の横断により開示した平面図である。この図９は、天面３ａに開成した挿通口３ｂと支持軸５の前後に離間した調整用スペースＳだけ、引戸２の前後方向への位置調整ができるものであることを示している。
【０００５】
【発明が解決しようとする課題】
上記従来例によるときは、戸前後位置調整機構６の特異形態すなわちスライダ６ｂの支持軸５に対するスライドによって、引戸２を前後方向へ簡易な作業で可変調整することができる。このため、全体構造の簡潔化、小型化、低廉化が可能となる利点を発揮することになる。本発明は上記従来の発明に係る内容に徴し、その利点をさらに助長しようとするものであり、特に従来の引戸前後位置調整機構について、部材相互の直線的な摺動箇所が存することに変えて特異な伝動機構を導入することに着目し、これによって上記従来例の如く案内溝６ｃと支持軸５とが可成りの距離にわたり摺動してしまうことによる部分的な摩耗損による懸念を解消しようとしている。本発明では、また、特に支持軸５について、これを単なる丸棒状ではなしに、各一対の平坦面５ａ、５ａと弧状面５ｂ、５ｂとに形成しなければならないことや、充分に小型化の要望を充足できないことなども難点として指摘するものである。
【０００６】
本発明はその一実施態様として、従来例のような支持軸５を丸棒状に形成して採択するだけでなく、当該従来例と同じく平坦面５ａ、５ａと弧状面５ｂ、５ｂとによって形成する場合でも上記と同様の効果を発揮できるようにし、もって製作上の融通性をよくするものである。本発明は、さらに、その一実施態様において上記のような伝動機構を特定構造のものに選定することにより、効果に信頼性をより付与できるようにするものである。
【０００７】
【課題を解決するための手段】
本発明の一つは、上記の目的を達成するために下記の課題解決手段を特徴とするものである。すなわち本発明の一つは、
左右方向に開閉される引戸に固定された支持部材と、上記引戸が開閉される左右方向に配置された引戸用ガイドレールに沿って左右方向に開閉動自在に走行する車輪付き走行体とを具備すると共に、当該車輪付き走行体と上記支持部材との間に立装連結された上下方向に沿う支持軸を具備し、かつ、上記支持部材には、上記引戸用ガイドレールの配設位置に対して、上記左右方向と交差する前後方向への配装位置を変更自在に調節可能とした引戸前後位置調整機構が内設されている引戸用ランナー装置において、
上記引戸前後位置調整機構が回動操作螺子と直線スライダと回動案内子とを備えたものであること、および、
上記回動操作螺子が、上記左右方向に沿うように配置されていると共に上記支持部材により正逆回転自在に保持されて上記左右方向への移動を阻止されていること、および、
上記回動操作螺子が上記直線スライダに螺合されており、かつ、回動操作螺子の正逆回動操作による正逆螺回動によって直線スライダが上記左右方向へスライドするものであること、および、
上記回動案内子の自由端部には、その自由端部を上下方向に貫通する位置調節口が穿設されていてその位置調節口に上記支持軸が貫挿されており、さらに回動案内子には、当該回動案内子が上記前後方向に回動するときの回動軸心になる回動基軸があり、この回動基軸が上記支持軸と平行に立設されていること、および、
上記直線スライダと上記回動案内子とが、この直線スライダと回動案内子とにわたって設けられた伝動機構を介して連動自在に組み立てられていること、および、
上記回動案内子が、上記伝動機構を介して上記直線スライダと連動するものであり、かつ、上記支持軸に併装立設の上記回動基軸を軸心にして上記前後方向に回動するものであること
を特徴とする。
【０００８】
本発明の他の一つは、上記の引戸用ランナー装置において、
回動案内子の自由端部に穿設された位置調節口には、支持軸の左右方向と前後方向に沿う長辺側と短辺側とがそれぞれ形成されていると共に、この位置調節口に貫挿された支持軸がフラット面とアーク面とを具有しており、かつ、支持軸のアーク面が位置調節口の短辺側または長辺側に当接していて、支持軸のフラット面と位置調節口の短辺側および長辺側との間に可変離接間隙が介在していることを特徴とする。
【０００９】
本発明のさらに他の一つは、上記の引戸用ランナー装置において、
伝動機構が、回動案内子の回動基軸側である基部から突出された起動用首部と、その先端に膨設した弧状突起と、当該弧状突起が回動自在に係嵌されるよう直線スライダに欠設された枢支用欠設凹所とにより構成されていることを特徴とする。
【００１０】
【発明の実施の形態】
本発明に係る引戸用ランナー装置の基本的な構成には、前述した従来例のそれと同一性がみられる。これについて、従来例の図７に対応する本発明の図１（Ａ）を参照して説明する。本発明に係る引戸用ランナー装置は、基本的な構成として、引戸１０に固定された支持部材１１と、引戸用ガイドレール１２に沿って開閉自在に走行する車輪付き走行体１３と、当該車輪付き走行体１３と上記の支持部材１１との間にあって立装連結された支持軸１４とを具備している。この支持部材１１には前記の引戸用ガイドレール１２の配設位置に対して、前後方向へ配装位置を変更自在に調節可能とした引戸前後位置調整機構１５が内設されている。
【００１１】
本発明は上記のような引戸用ランナー装置に設けられている引戸前後位置調整機構１５の構成に特徴を有している。以下では、その詳細について説示した後、補足的に引戸用ランナー装置を全体的に組成する手段について記載する。その補足的な内容自体は本質的に前記従来例のそれと近似している。本発明では、また、引戸上下位置調整機構１６を図面中に開示しているが、これも前記従来例で記述した引戸上下位置調整機構７と同構成であるので、その説明を省略する。
【００１２】
引戸前後位置調整機構１５について以下詳記する。図１、図４、図５によって理解される通り、引戸前後位置調整機構１５は引戸１０のコーナ部などに固設するようにした支持部材１１に装設されており、しかもその構成部材なるものは、引戸１０の幅方向である左右の方向へは移動されることが阻止されるようにした回動操作螺子１５ａと、その回動操作による正逆螺回動により牽引方向Ｐ１または離反方向Ｐ２へスライド自在なるよう形成された図示例では平面視フック状である直線スライダ１５ｂとを具備している。そしてさらにこの直線スライダ１５ｂの上記した牽引または離反方向Ｐ１、Ｐ２への動作によって伝動機構１５ｃを介して連動された結果、前説した支持軸１４に併装立設されている回動基軸１５ｄを軸心Ｏとして、前記引戸用ガイドレール１２の後方であるか前方へ回動自在である回動案内子１５ｅとを具備している。
【００１３】
この回動案内子１５ｅの自由端部１５ｆには図１の一実施態様の場合、楕円状に形成した位置調節口１５ｇなるものが、前記の支持軸１４との関係をもって穿設されている。すなわち、前記した支持部材１１の左右方向と前後方向とには、夫々長径側Ｘと短径側Ｙとが形成されるようにした楕円状である位置調節口１５ｇが、上記した自由端部１５ｆに穿設開口されているのである。しかも本発明ではこの楕円状とした位置調節口１５ｇ内にあって、円形状断面すなわち丸棒状に形成された前記の支持軸１４が、上記の短径側Ｙにあっては当接しているが、前同長径側Ｘとは可変離接間隙ｄ１、ｄ２をもたせて遊貫されるようにしてある。
【００１４】
従って上記構成を具有させてなる前後位置調整機構１５によるときには、例えば図３に示す如く引戸１０のコーナ部に埋め込むようにして取着されている前記支持部材１１の正面に向かって、ドライバ等の回動操作により回動操作螺子１５ａを表示「右」の矢印の如く螺回すれば、これに螺合する直線スライダ１５ｂは、図１（Ｂ）により理解される通り回動操作螺子１５ａにより引き付けられて、牽引方向Ｐ１へ向け（左方向）支持部材１１に案内されて直線的にスライドすることになる。この結果、伝動機構１５を介して外力を付与された回動案内子１５ｅは、支持部材１１に支承の回動基軸１５ｄにおける軸心Ｏを中心として矢印ｒ１方向へ回動することになり、この際前述の如く支持軸１４は不動状態で吊設されているのであるから、図１（Ｂ）により明らかな通り当該支持軸１４に対して支持部材１１全体すなわち引戸１０全体が矢印ｔ１である前方へ変動することになる。
【００１５】
この際、前記の如く楕円状とした位置調節口１５ｇと支持軸１４との間には、可変離接間隙ｄ１、ｄ２が形成されているので、上記の如き引戸１０の前方変移が支障なく実施できることになる。従って自明のことではあるが、上記とは反対の図５における表示「左」の矢印方向へ回動操作螺子１５ａを回動させれば、今度は回動操作螺子１５ａが牽引ではなく離反方向へ移動され、この結果回動案内子１５ｅの自由端部１５ｆは矢印ｒ２方向へ回動して、不動状態の支持軸１４に対して支持部材１１すなわち引戸１０が後方である矢印ｔ２の方向へ偏動して行くことになり、当該偏動の程度はもちろん回動操作螺子１５ａの回動度合に比例し、かくして引戸１０は所望長だけ所要の前後方向へその位置を変移させることが可能となる。そして上記の説示から理解される如く、支持部材１１の前後方向への変動に支障が生じないように、図１（Ｃ）に明示の如く支持部材１１における天井部１１ａには天窓１１ｂを開口するなどして、この中を貫通した不動状態の支持軸１４に対し、支持部材１１が前後に移動できるように、当該天窓１１ｂ等を適宜の形状に開設させておくのが望ましい。
【００１６】
上記の一実施態様では、位置調節口１５ｇに楕円状のものを採択し、しかも支持軸１４に丸棒を選定した場合を例示しているが、もちろん、これに限定さるべきものでなく、請求項１に明記の通り当該位置調節口１５ｇには、支持軸１４が貫挿すなわち遊びをもたせて貫入されていればよいということになる。
【００１７】
上記の位置調節口１５ｇと支持軸１４の他実施態様について、図２、図３を参照して説示すると以下の通りである。すなわちこれは、前記の引戸用ランナー装置において、回動案内子１５ｅの自由端部１５ｆには、支持部材１１の左右方向と前径方向に夫々長辺側ＬＬと短辺側ＳＳが形成されてなる位置調節口１５ｇが穿設されていると共に、この位置調節口１５ｇに貫挿されている前記の支持軸１４は前実施態様とは違って丸棒状のものではなく、前掲引用例と同様にしてフラット面Ｆとアーク面Ａを具有しているのである。そして上記のアーク面Ａが位置調節口１５ｇの短辺側ＳＳまたは長辺側ＬＬ側に当接し、かつ上記フラット面Ｆは短辺側ＳＳおよび長辺側ＬＬから可変離接間隙ｄ１、ｄ２をもって遊貫されているようにしてあり、かくして図１の場合と同等の作用を果たすことが可能である。
【００１８】
本発明に係る引戸用ランナー装置について、伝動機構１５ｃの実施形態を以下に説示する。伝動機構１５ｃについてはもちろん各種の伝動機構構成を採択することができるが、その一例につきこれを明示するようにしている。すなわち、前記した回動案内子１５ｅの回動基軸１５ｄ側である基部１５ｈから突設された起動用首部１５ｉと、その先端に膨設した弧状突起（球状）１５ｊが回動自在なるよう前記の直線スライダ１５ｂに欠設した枢支用欠設凹所１５ｋとで、当該伝動機構１５ｃを具現するようにしている。図１（Ｂ）における１１ｂは、上記弧状突起１５ｊの動きに支障を生じさせないようにするため、前記の支持部材１１に切欠した欠設部を示している。この実施形態のような伝動機構１５ｃによるときは、当該伝動機構１５ｃの役割を充分に達成することもちろんであるが、ここではその詳細説明が省略されている。
【００１９】
本発明の構成をより理解し易くするための補強的な説明として、まず、引戸１０に支持部材１１を着脱自在なるようセットさせるための一実施例について記述する。図２に明示のように支持軸１４を鉛直状に固定させるため、その下端部１４ａが支持部材１１に固設してある。この支持部材１１は、図３の如く矢印ｕ方向へ移行させることで、予め引戸１０のコーナ箇所に木螺子ｖなどで止着しておいた受納カップ１０ａに収納すると共に、その抜止部１０ｂに対して、支持部材１１のロック用弾持具１１ｃを掛け外し自在なるよう係着可能にしている。
【００２０】
引戸用ガイドレール１２や車輪付き走行体１３に関して、既知の機構であるけれども、図２〜図４を参照して略説すると、まず引戸用ライドレール１２は跨座式のもので、これに二対で四輪の車輪１３ａを備えた車輪付き走行体１３が走行自在に懸吊状態となっている。図２と図４の符号１３ｂは、支持軸１３を上記の車輪付き走行体１３に止着した抜止ピンを示している。
【００２１】
【発明の効果】
本発明に係る引戸用ランナー装置は、つぎのような効果を有する。
(1) 主要部材相互間における直線的なスライドを不可欠としている従来構成に比し、主要部材間の回動機構を適切に採択することで従来例の局部的な摩耗損による耐久性の劣化を解消することができる。
(2) 支持軸を単なる丸棒でもできるようにすることで、これに対する特別な加工を排除することができる。
(3) 従来例に比した場合、上記した伝動機構の導入によって、その引戸前後位置調整機構の構造の簡潔化、小型化、さらには低廉化を可能とすることができる。従って所定の形態寸法条件下にあって引戸の前後方向への変移寸法を充分に付与することも可能となる。
(4) 支持軸と回動案内子の自由端部に開設させた位置調節口との相対的関係位置に係る実施態様によるときは、その具体的効果が鮮明になる。
【００２２】
(5) 上記の伝動機構として回動案内子の回動基軸側である基部から突出の起動用首部先端に弧状突起を設け、これを直線スライダに欠設の枢支用欠設凹所に回動自在なるよう係嵌する構成とした場合、前記効果の信頼性をより向上させることができる。
【図面の簡単な説明】
【図１】本発明に係る引戸前後位置調整機構を具備した引戸用ランナー装置の要部を示したもので、（Ａ）はその斜視説明図、（Ｂ）は上記引戸前後位置調整機構の横断平面図で、（Ｃ）は支持部材の天井部を示す平面図である。
【図２】本発明に係る引戸前後位置調整機構の横断平面図である。
【図３】本発明に係る引戸前後位置調整機構の異種実施例を示した横断平面図である。
【図４】引戸の一コーナ箇所に本発明に係る引戸用ランナー装置を装填した状態の要部縦断正面図である。
【図５】図２の引戸用ランナー装置について、その一部を切欠して示した左側面図である。
【図６】図２のような引戸用ランナー装置の装填完成状態を得るため、引戸に装着された受納カップに、引戸用ガイドレール車輪付き走行体を介して懸吊した支持部材を、矢印方向へ走行させて装填する直前状態を示した一部切欠の正面図である。
【図７】特許文献１に係る従来例について、引戸前後位置調整機構を具備した引戸用ランナー装置の要部斜視説明図である。
【図８】図７の引戸用ランナー装置における引戸用前後位置調整機構の平面図である。
【図９】図７の引戸用ランナー装置における引戸用前後位置調整機構について支持部材の天面を示した平面図である。
【符号の説明】
１０    引戸
１１    支持部材
１２    引戸用ガイドレール
１３    車輪付き走行体
１４    支持軸
１５    引戸前後位置調整機構
１５ａ  回動操作螺子
１５ｂ  直線スライダ
１５ｃ  伝動機構
１５ｄ  回動基軸
１５ｅ  回動案内子
１５ｆ  自由端部
１５ｇ  位置調節口
１５ｈ  基部
１５ｉ  起動用首部
１５ｊ  弧状突起
１５ｋ  枢支用欠設凹所
ｄ１    可変離接間隙
ｄ２    可変離接間隙
Ｏ      軸心
Ｐ１    牽引方向
Ｐ２    離反方向
Ｘ      長径側
Ｙ      短径側
ＬＬ    長辺側
ＳＳ    短辺側
Ａ      アーク面
Ｆ      フラット面
【図１】
0004347605.tif 000002
【図２】
0004347605.tif 000003
【図３】
0004347605.tif 000004
【図４】
0004347605.tif 000005
【図５】
0004347605.tif 000006
【図６】
0004347605.tif 000007
【図７】
0004347605.tif 000008
【図８】
0004347605.tif 000009
【図９】
0004347605.tif 000010